(57)【要約】      （修正有）【課題】内容量の少ない一つのポーチを、ウエストポーチ仕様とショルダーポーチ仕様とに切り替えることができるとともに、ポーチを身に付けた状態で、内容物を出し入れすることができるポーチを提供する。【解決手段】袋本体１１ｃの上部に一対の連結部材を設け、連結部材に、サスペンダークリップ１２又は肩掛け用ベルトを選択的に連結することにより、ウエストポーチ仕様とショルダーポーチ仕様とに切り替え可能とする。袋本体１１ｃの外側にファスナーにより開閉可能な外ポケットを設ける。ファスナーのスライダーにリング部材を取り付ける。袋本体１１ｃは、開口部１１ｄの幅方向中央部に、開口部１１ｄを開閉可能に留めるベルト部材１５を設ける。袋本体１１ｃは、内側に内ポケットを形成する仕切布を設ける。袋本体１１ｃは、内側に帯状のペンホルダを設ける。【選択図】図１
0003214956.tif 000002
【実用新案登録請求の範囲】
【請求項１】
袋本体の上部に一対の連結部材を設け、該連結部材に、サスペンダークリップ又は肩掛け用ベルトを選択的に連結することにより、ウエストポーチ仕様とショルダーポーチ仕様とに切り替え可能であることを特徴とするポーチ。
【請求項２】
前記袋本体は、外側にファスナーにより開閉可能な外ポケットを備えていることを特徴とする請求項１記載のポーチ。
【請求項３】
前記ファスナーのスライダーにリング部材を取り付けたことを特徴とする請求項２記載のポーチ。
【請求項４】
前記袋本体は、開口部の幅方向中央部に、該開口部を開閉可能に留めるベルト部材を設けたことを特徴とする請求項１乃至３のいずれか１項記載のポーチ。
【請求項５】
前記袋本体は、内側に内ポケットを形成する仕切布を備えていることを特徴とする請求項１乃至４のいずれか１項記載のポーチ。
【請求項６】
前記袋本体は、内側に帯状のペンホルダを備えていることを特徴とする請求項１乃至５のいずれか１項記載のポーチ。
【考案の詳細な説明】
【技術分野】
【０００１】
本考案は、ポーチに関し、詳しくは、ウエストポーチ仕様とショルダーポーチ仕様とに切り替え可能なポーチに関する。
【背景技術】
【０００２】
従来、一つのバッグを好みに応じて、リュックサック，ウエストポーチ，シュルダーポーチに使えるようにしたものがあった（例えば、特許文献１参照。）。
【先行技術文献】
【特許文献】
【０００３】
【特許文献１】実開平７−３６７４３号公報
【考案の概要】
【考案が解決しようとする課題】
【０００４】
しかし、上述の特許文献１のものでは、バッグを身に付けた状態で、バッグ内の収容物を出し入れすることが困難であった。また、特許文献１のものは、比較的大型のバッグであることから、ウエストポーチ仕様とした際には、腰回りに配置される袋本体が大きく、装着感が良くなかった。
【０００５】
そこで本考案は、内容量の少ない一つのポーチを、ウエストポーチ仕様とショルダーポーチ仕様とに切り替えることができるとともに、ポーチを身に付けた状態で、内容物を出し入れすることができるポーチを提供することを目的としている。
【課題を解決するための手段】
【０００６】
上記目的を達成するため、本考案のポーチは、袋本体の上部に一対の連結部材を設け、該連結部材に、サスペンダークリップ（バンドクリップ）又は肩掛け用ベルトを選択的に連結することにより、ウエストポーチ仕様とショルダーポーチ仕様とに切り替え可能であることを特徴としている。
【０００７】
また、前記袋本体は、外側にファスナーにより開閉可能な外ポケットを備えていると好ましい。さらに、前記ファスナーのスライダーにリング部材を取り付けると好適である。また、記袋本体は、開口部の幅方向中央部に、該開口部を開閉可能に留めるベルト部材を設けるとよい。
【０００８】
さらに、前記袋本体は、内側に内ポケットを形成する仕切布を備えていると好ましい。また、前記袋本体は、内側に帯状のペンホルダを備えていると好適である。
【考案の効果】
【０００９】
本考案のポーチによれば、連結部材にサスペンダークリップを連結し、該サスペンダークリップを衣服のウエストベルトに係合させることで、ポーチをウエストポーチ仕様に、また、連結部材に肩掛け用ベルトを連結することにより、ポーチをショルダーポーチ仕様にすることができるとともに、ポーチを身に付けた状態で、内容物の取り出しを行うことができる。
【００１０】
また、袋本体の外側に、ファスナーにより開閉可能な外ポケットを設けたことにより、内容物を袋本体と外ポケットとに分けて収納することができ利便性が向上する。さらに、ファスナーのスライダーにリング部材を取り付けたことにより、ファスナーを開閉し易くなるとともに、リング部材にキーホルダーやチャームを取り付けることができ、装飾性の向上を図ることができる。
【００１１】
また、袋本体の開口部の幅方向中央部に、開口部を開閉可能に留めるベルト部材を設けたことにより、ポーチを身に付けた状態で、袋本体の開口部を簡単に大きく開けることができ、内容物を出し入れし易い。さらに、袋本体は、内側に内ポケットを形成する仕切布を備えていることにより、内容物を整理し易くすることができ、また、内側にペンホルダを設けたことにより、他の内容物に紛れやすいペン類を良好に収容させることができる。
【図面の簡単な説明】
【００１２】
【図１】本考案の一形態例を示すウエストポーチ仕様のポーチの正面図である。
【図２】同じくウエストポーチ仕様のポーチの一部断面正面図である。
【図３】同じくウエストポーチ仕様のポーチの断面説明図である。
【図４】同じくウエストポーチ仕様のポーチの使用状態を示す図である。
【図５】同じくショルダーポーチ仕様のポーチの正面図である。
【考案を実施するための形態】
【００１３】
図１乃至図５は、本考案のポーチの一形態例を示す図で、本形態例のポーチ１１は、例えば、ハンカチやポケットティッシュ、または、文庫本を１冊収納可能な程度の小容量の小型ポーチで、少ない荷物を身に付けて手ぶらで散歩に出かけたり、子供や老人が身の回りの少ない荷物を持って外出したりする際等に適用される。
【００１４】
ポーチ１１は、長方形状の表側生地１１ａと、裏側生地１１ｂとを縫い合わせて形成された袋本体１１ｃに、サスペンダークリップ１２又は肩掛け用ベルト１３を選択的に連結することにより、ウエストポーチ仕様とショルダーポーチ仕様とに切り替え可能に形成されている。
【００１５】
裏側生地１１ｂは、外側の幅方向両側部の開口部１１ｄ近傍に、一対の連結部材１４，１４が取り付けられている。連結部材１４は、裏側生地１１ｂに縫合される帯体１４ａと、該帯体１４ａの先端部に形成される輪に挿通される連結リング１４ｂとを備えている。また、裏側生地１１ｂの外側の幅方向中央部には、開口部１１ｄを開閉可能に留めるベルト部材１５の一端が縫合され、ベルト部材１５の先端と表側生地１１ａとはスナップ１５ａにより係止される。また、裏側生地１１ｂの内側には、内ポケットを形成する仕切布１６が縫合され、該仕切布１６の上端部は、開口部１１ｄよりも下方に配置される。
【００１６】
表側生地１１ａは、外側にファスナー１７により開閉可能な外ポケットが形成され、ファスナー１７のスライダー１７ａには、リング部材１８が取り付けられている。また、表側生地１１ａの内側には、ペン１９のクリップ１９ａを係止させる帯状のペンホルダ２０，２０が取り付けられている。
【００１７】
サスペンダークリップ１２は、衣服を挟んで係止するクリップ部１２ａと、該クリップ部１２ａに取り付けられ、前記連結部材１４の連結リング１４ｂに着脱可能に取り付けられるフラップバンド１２ｂとを備えている。肩掛け用ベルト１３は、ベルト１３ａの両端部に連結リング１３ｂを介してナスカン１３ｃが回動可能にそれぞれ設けられている。
【００１８】
このように形成されたポーチ１１は、図１乃至図４に示されるように、各連結部材１４の連結リング１４ｂにサスペンダークリップ１２のフラップバンド１２ｂをそれぞれ連結し、クリップ部１２ａを衣服２１のウエスト部２２に取り付けることによりウエストポーチ仕様とすることができる。また、クリップ部１２ａを大型のバッグの外側や内側に係合させることにより、大型のバッグに付設されるポケットとして利用することもできる。
【００１９】
さらに、図５に示されるように、ポーチ１１は、各連結部材１４の連結リング１４ｂに肩掛け用ベルト１３のナスカン１３ｃをそれぞれ連結することにより、ショルダーポーチ仕様とすることができる。
【００２０】
上述のポーチ１１によれば、連結部材１４の連結リング１４ｂに、サスペンダークリップ１２又は肩掛け用ベルト１３を選択的に連結することにより、ポーチ１１を簡単にウエストポーチ仕様又はショルダーポーチ仕様とすることができ、さらに、ポーチ１１を身に付けた状態で、内容物の取り出しを行うことができる。また、外側に、ファスナー１７により開閉可能な外ポケットを設けたことにより、内容物を袋本体１１ｃと外ポケットとに分けて収納することができ利便性が向上する。さらに、ファスナー１７のスライダー１７ａにリング部材１８を取り付けたことにより、ファスナー１７を開閉し易くなるとともに、リング部材１８にキーホルダーやチャームを取り付けることができ、装飾性の向上を図ることができる。
【００２１】
また、袋本体１１ｃの開口部１１ｄの幅方向中央部に、開口部１１ｄを開閉可能に留めるベルト部材１５を設けたことにより、ポーチ１１を身に付けた状態で、袋本体１１ｃの開口部を簡単に大きく開けることができ、内容物を出し入れし易い。さらに、袋本体１１ｃは、内側に内ポケットを形成する仕切布１６を備えていることにより、内容物を整理し易くすることができ、また、内側にペンホルダ２０を設けたことにより、他の内容物に紛れやすいペン類を良好に収容させることができる。
【００２２】
なお、本考案のポーチは、連結部材にサスペンダークリップや肩掛け用ベルトを連結しない状態で、小物入れとして利用することもできる。また、袋本体の開口部の開閉は、ベルト部材で行うものに限らず任意であり、ファスナーやスナップによって開閉するもの等でもよい。
【符号の説明】
【００２３】
１１…ポーチ、１１ａ…表側生地、１１ｂ…裏側生地、１１ｃ…袋本体、１１ｄ…開口部、１２…サスペンダークリップ、１２ａ…クリップ部、１２ｂ…フラップバンド、１３…肩掛け用ベルト、１３ａ…ベルト、１３ｂ…連結リング、１３ｃ…ナスカン、１４…連結部材、１４ａ…帯体、１４ｂ…連結リング、１５…ベルト部材、１５ａ…スナップ、１６…仕切布、１７…ファスナー、１７ａ…スライダー、１８…リング部材、１９…ペン、１９ａ…クリップ、２０…ペンホルダ、２１…衣服、２２…ウエスト部
【図１】
0003214956.tif 000003
【図２】
0003214956.tif 000004
【図３】
0003214956.tif 000005
【図４】
0003214956.tif 000006
【図５】
0003214956.tif 000007